(57)【要約】  本開示は、通信装置と通信方法に関する。一実施例による通信装置は取得ユニットと、確定ユニットと、トリガーユニットとを含む。取得ユニットは、アクティブネットワークにおけるユーザー機器の分布に関する情報を取得するように配置され、ユーザー機器は少なくともスレーブ装置を含み、スレーブ装置がデバイス・ツー・デバイス通信過程においてマスター装置により通信サービスを得る。確定ユニットは取得した情報に応じてアクティブネットワークの再配置方式を確定するように配置される。トリガーユニットは、確定された方式に応じてアクティブネットワークに対して行う再配置をトリガーするように配置される。【選択図】図１
2018504044.tif 000002
【特許請求の範囲】
【請求項１】
通信装置であって、
アクティブネットワークにおけるユーザー機器の分布に関する情報を取得し、前記ユーザー機器は少なくともスレーブ装置を含み、前記スレーブ装置がデバイス・ツー・デバイスの通信過程においてマスター装置により通信サービスを得るように配置される取得ユニットと、
前記情報に応じて前記アクティブネットワークの再配置方式を確定するように配置される確定ユニットと、
確定された方式に応じて前記アクティブネットワークに対して行う再配置をトリガーするように配置されるトリガーユニットとを含む通信装置。
【請求項２】
前記再配置方式は、前記マスター装置に対する再選択及び／又は前記マスター装置の動作パラメータに対する再設置を含む請求項１に記載の通信装置。
【請求項３】
前記マスター装置の動作パラメータに対する再設置は、前記マスター装置の送信電力の調整及び／又は前記マスター装置のサービスするスレーブ装置の調整を含む請求項２に記載の通信装置。
【請求項４】
前記通信装置はマスターユーザー機器である請求項１に記載の通信装置。
【請求項５】
前記通信装置は、前記取得ユニットによりユーザー機器の分布情報を確定するように、所定のイベントに基づいて前記通信装置の信号カバー範囲内のユーザー機器が分布測定信号を送信することをトリガーするように配置される分布測定トリガーユニットを含む請求項４に記載の通信装置。
【請求項６】
前記所定のイベントは、
前記通信装置の移動特性の変化が所定の条件を満たすことと、
前記通信装置の信号送信パラメータの変化が所定の閾値を超えたことと、
分布測定をトリガーするためのタイマーがタイミング条件に達することと、
前記通信装置とそれがサービスするスレーブユーザー機器との間の通信状態が所定の条件を満たすこととのうちの少なくとも一つを含む請求項５に記載の通信装置。
【請求項７】
前記分布測定トリガーユニットは、
前記通信装置の信号カバー範囲内のユーザー機器へ分布測定要求に関する第１のブロードキャスト信号を送信し、前記第１のブロードキャスト信号にデバイス・ツー・デバイス通信のための参照信号を含む方式と、
前記通信装置のサービス基地局へ分布測定要求メッセージを送信して、前記サービス基地局により、前記通信装置の信号カバー範囲内のユーザー機器が分布測定信号を送信することをトリガーする方式と、
のうちの少なくとも一つにより前記通信装置の信号カバー範囲内のユーザー機器が分布測定信号を送信することをトリガーするように配置される請求項５に記載の通信装置。
【請求項８】
前記取得ユニットは、前記通信装置の信号カバー範囲内のユーザー機器の密度を取得するように配置される請求項４−７のいずれか一項に記載の通信装置。
【請求項９】
前記取得ユニットは、前記通信装置のサービスするスレーブ装置とされないユーザー機器からの第２のブロードキャスト信号を、分布測定信号として前記密度を推定する請求項８に記載の通信装置。
【請求項１０】
前記第２のブロードキャスト信号は、デバイス・ツー・デバイス通信のための発見信号又はデバイス・ツー・デバイス通信の同期信号を含む請求項９に記載の通信装置。
【請求項１１】
前記通信装置の位置及び／又は送信電力に関する情報を、前記ネットワークインフラストラクチャに報告するように配置される報告ユニットをさらに含み、
前記取得ユニットは、前記ネットワークインフラストラクチャから前記密度に関する情報を取得するように配置される請求項８に記載の通信装置。
【請求項１２】
前記確定ユニットは、ユーザー機器の密度とネットワーク性能との間の所定関係に応じて、前記通信装置の動作パラメータを確定するように配置される請求項８に記載の通信装置。
【請求項１３】
前記動作パラメータは、前記通信装置の送信電力及び／又は前記通信装置のサービスするスレーブ装置の最大数を含む請求項１２に記載の通信装置。
【請求項１４】
前記通信装置の実送信電力が確定された送信電力よりも大きい場合に、前記確定ユニットは以下の原則、即ち
前記スレーブ装置の信号品質を確保する場合に、送信電力を低減させ、又は、
送信電力が確定された送信電力を超えないまで、サービスするスレーブ装置の通信品質の昇順に応じて前記スレーブ装置を順に削除し、送信電力を低減させる原則に基づいて前記動作パラメータの調整方式を確定する請求項１３に記載の通信装置。
【請求項１５】
前記トリガーユニットは、
確定された送信電力に応じて前記通信装置の送信電力を調整する、及び／又は、
前記通信装置のスレーブ装置へ、デバイス・ツー・デバイス通信解放要求を送信し、及び／又は前記通信装置の信号カバー範囲内のユーザー機器へデバイス・ツー・デバイス通信確立要求を送信するように配置される請求項１３に記載の通信装置。
【請求項１６】
前記通信装置はネットワークインフラストラクチャである請求項１に記載の通信装置。
【請求項１７】
前記取得ユニットは、特定の領域内のユーザー機器の密度を取得するように配置される請求項１６に記載の通信装置。
【請求項１８】
前記取得ユニットは、前記領域内のマスター装置からの情報及び／又は前記領域内のスレーブ装置とされないユーザー機器からの情報に応じて前記密度を推定する請求項１７に記載の通信装置。
【請求項１９】
前記確定ユニットは、ユーザー機器の密度とネットワーク性能との間の所定関係に応じて前記領域内のユーザー機器の動作パラメータを確定するように配置される請求項１８に記載の通信装置。
【請求項２０】
前記確定ユニットは、前記領域内のユーザー機器の以下の動作パラメータ、即ち、
マスター装置の目標密度と
マスター装置のピッチ閾値と、
マスター装置の送信電力閾値と
マスター装置のサービスするスレーブ装置の数の閾値とのうちの一つ又は複数を確定するように配置される請求項１９に記載の通信装置。
【請求項２１】
前記トリガーユニットは、
前記領域内のマスター装置へマスター装置キャンセル要求を送信し、
前記領域内のユーザー機器へマスター装置設置要求を送信し、又は、
前記領域内のマスター装置へ電力変更指令及び／又はスレーブユーザー変更指令を送信するように配置される請求項２０に記載の通信装置。
【請求項２２】
通信装置が実行する通信方法であって、
アクティブネットワークにおけるユーザー機器の分布に関する情報を取得し、前記ユーザー機器は少なくともスレーブ装置を含み、前記スレーブ装置がデバイス・ツー・デバイス通信過程においてマスター装置により通信サービスを得、
前記情報に応じて前記アクティブネットワークの再配置方式を確定し、
確定した方式に応じて前記アクティブネットワークに対して行う再配置をトリガーすることを含む通信方法。
【請求項２３】
ユーザー側に用いられる通信装置であって、
ユーザー機器又はネットワークインフラストラクチャからの送信要求を受信するように配置される受信ユニットと、
前記通信装置がスレーブ装置とされない場合に、前記送信要求に基づいて、前記通信装置のアクティブネットワークにおける分布を確定するための参照信号を送信するように配置される送信ユニットとを含み、
前記スレーブ装置はデバイス・ツー・デバイス通信過程においてマスター装置により通信サービスを得る通信装置。
【請求項２４】
前記受信ユニットは、物理下りリンク制御チャネル又はメディアアクセス制御要素により前記送信要求を受信する請求項２３に記載の通信装置。
【請求項２５】
前記送信要求に前記参照信号を送信する時間配置を指示した場合に、前記送信ユニットは、指示された時間配置に従って前記参照信号を送信する請求項２３に記載の通信装置。
【請求項２６】
前記受信ユニットは、ユーザー機器からの前記送信要求を含むブロードキャスト信号を受信し、且つ
前記送信ユニットは、受信した送信要求を含むブロードキャスト信号強度が所定のレベルよりも高い場合のみ、前記参照信号を送信するように配置される請求項２３に記載の通信装置。
【請求項２７】
前記参照信号は、前記通信装置の標識情報を含む請求項２３に記載の通信装置。
【請求項２８】
通信装置が実行する通信方法であって、
ユーザー機器又はネットワークインフラストラクチャからの送信要求を受信し、
前記通信装置がスレーブ装置とされない場合に、前記要求に基づいて、前記通信装置のアクティブネットワークにおける分布を確定するための参照信号を送信することを含み、
前記スレーブ装置はデバイス・ツー・デバイス通信過程においてマスター装置により通信サービスを得る通信方法。
【発明の詳細な説明】
【技術分野】
【０００１】
本開示は、一般に、通信分野に関し、より具体的に、アクティブネットワークのための通信装置と、通信装置が実行する通信方法とに関する。
【背景技術】
【０００２】
コンピュータと通信技術の急速な発展に伴い、ユーザー機器、ビジネスニーズ及び使用シーンの数は指数関数的な速度で増大していき、無線ビジネスニーズと無線スペクトルリソースとの競合を激化してしまう。アクティブネットワークは、ネットワークの運営過程において、ネットワークの形態（ネットワークノードの機能、及びデータの伝送パスなどを含む）を絶えず調整することにより、さらに、無線リソースの多重化の効率を発掘し、ユーザーニーズを満たす同時にリソースの有効利用を確保するようにすることを試みる。
【０００３】
アクティブネットワークの一つの特性はアクセス端末と移動ユーザー機器の多様性と変動性をサポートする。伝統的ネットワーク管理方法において移動ユーザーのチャネル品質に応じて測定してフィードバックし、移動ユーザー機器の移動、パワー又はスイッチング状態変化などを快速にトラッキングすることができないので、快速に変化するネットワーク状態に対して即時に反応することが困難となり、移動ユーザーが安定なアクセスとサービスを得ることができないことを招く可能性があり、ひいては、ネットワーク全体のスペクトル利用率とシステム容量に影響してしまう。
【発明の概要】
【０００４】
以下では、本発明の実施例に関する簡単な概説を説明して、本発明のある局面に関する基本的理解を提供する。以下の概説が本発明に関する取り尽くし的概説ではないと理解すべきである。それは、本発明の肝心又は重要部分を意図的に特定することではなく、本発明の範囲を意図的に限定することでもない。その目的は、簡素化の形式で、ある概念を提供して、後論述するより詳しい技術の前述とするものである。
【０００５】
本発明の一実施例によれば、通信装置を提供する。当該通信装置は、取得ユニットと、確定ユニットと、トリガーユニットとを含む。取得ユニットは、アクティブネットワークにおけるユーザー機器の分布に関する情報を取得するように配置され、ユーザー機器は少なくともスレーブ装置を含み、スレーブ装置がデバイス・ツー・デバイス通信過程においてマスター装置により通信サービスを得る。確定ユニットは、取得した情報に応じてアクティブネットワークの再配置方式を確定するように配置される。トリガーユニットは、確定された方式に応じてアクティブネットワークに対して行う再配置をトリガーするように配置される。
【０００６】
本発明の他の一実施例によれば、通信装置が実行する通信方法を提供する。当該方法は、アクティブネットワークにおけるユーザー機器の分布に関する情報を取得するステップを含み、ユーザー機器は少なくともスレーブ装置を含み、スレーブ装置がデバイス・ツー・デバイス通信過程においてマスター装置により通信サービスを得る。また、当該方法は、取得した情報に応じてアクティブネットワークの再配置方式を確定するステップをさらに含む。また、当該方法は、確定した方式に応じてアクティブネットワークに対して行う再配置をトリガーするステップをさらに含む。
【０００７】
本発明のさらに一実施例によれば、ユーザー側に用いられる通信装置を提供する。当該通信装置は受信ユニットと送信ユニットとを含む。受信ユニットは、ユーザー機器又はネットワークインフラストラクチャからの送信要求を受信するように配置される。送信ユニットは、通信装置がスレーブ装置とされない場合に、送信要求に基づいて、当該通信装置のアクティブネットワークにおける分布を確定するための参照信号を送信するように配置され、スレーブ装置はデバイス・ツー・デバイス通信過程においてマスター装置により通信サービスを得る。
【０００８】
本発明のさらに一実施例によれば、通信装置が実行する通信方法を提供する。当該方法は、ユーザー機器又はネットワークインフラストラクチャからの送信要求を受信するステップを含む。また、当該方法は、通信装置がスレーブ装置とされない場合に、要求に基づいて、当該通信装置のアクティブネットワークにおける分布を確定するための参照信号を送信するステップをさらに含み、スレーブ装置はデバイス・ツー・デバイス通信過程においてマスター装置により通信サービスを得る。
【０００９】
本発明の実施例によれば、デバイス・ツー・デバイス通信を含むアクティブネットワークにおけるユーザー機器の分布に応じてアクティブネットワークに対する再配置を確定、トリガーすることにより、リンクへのユーザーのアクセスの安定性の確保、ネットワークのスペクトル利用率とシステム容量の向上に有利である。
【図面の簡単な説明】
【００１０】
本発明は以下で図面に基づいて提供する詳細な記述を参照することでより良い理解を得ることができ、その中、全ての図面において、同一又は類似する符号を使用して同一又は類似する部品を示す。上記図面は以下の詳細説明とともに本明細書に含まれ明細書の一部を形成し、さらに例を上げて本発明の好適な実施例を説明し、及び本発明の原理と長所を解釈するためのものである。図面において、
【図１】本発明の一実施例による通信装置の配置例を示すブロック図である。
【図２】本発明の実施例を応用できる通信システムの例を示す模式図である。
【図３】本発明の一実施例による一つの例示的過程を説明するための模式図である。
【図４】本発明の一実施例による他の一つの例示的過程を説明するための模式図である。
【図５】本発明の一実施例によるさらに一つの例示的過程を説明するための模式図である。
【図６】本発明の他の一実施例による通信装置の配置例を示すブロック図である。
【図７】本発明の更なる一実施例による通信装置の配置例を示すブロック図である。
【図８】本発明の一実施例による一つの例示的過程を説明するための模式図である。
【図９】本発明の一実施例による他の一つの例示的過程を説明するための模式図である。
【図１０】本発明の一実施例によるさらに一つの例示的過程を説明するための模式図である。
【図１１】本発明の一実施例によるさらに一つの例示的過程を説明するための模式図である。
【図１２】本発明の一実施例によるさらに一つの例示的過程を説明するための模式図である。
【図１３】本発明の一実施例による更なる一つの例示的過程を説明するための模式図である。
【図１４】本発明の一実施例による他の一つの例示的過程を説明するための模式図である。
【図１５】マスター／スレーブ装置配置を調整する一つの例示的過程を説明するための模式図である。
【図１６】マスター／スレーブ装置配置を調整する他の一つの例示的過程を説明するための模式図である。
【図１７】本発明の一実施例による通信方法の一例を示すフローチャートである。
【図１８】本発明の一実施例によるユーザー側に用いられる通信装置の配置例を示すブロック図である。
【図１９】本発明の一実施例による通信方法の例示的過程を示すフローチャートである。
【図２０】本開示の方法と装置を実現するコンピュータの概略的構造を示すブロック図である。
【図２１】本開示の内容の技術を応用できるスマートフォンの概略的配置を示すブロック図である。
【図２２】本開示の内容の技術を応用できるカーナビゲーション装置の概略的配置の一例を示すブロック図である。
【発明を実施するための形態】
【００１１】
以下では、図面を参照して本発明の実施例を説明する。本発明の一つの図面又は一つの実施形態に記述する要素と特徴は一つ又は複数の他の図面又は実施形態に示す要素と特徴と組み合わせることができる。注意すべきことは、目的を明らかにするために、図面と説明に本発明に関係ない、当業者が既知の部品と処理の表示と記述を省略した。
【００１２】
図１に示すように、本発明の一実施例による通信装置１００は、取得ユニット１１０と、確定ユニット１２０と、トリガーユニット１３０とを含む。
【００１３】
取得ユニット１１０は、アクティブネットワークにおけるユーザー機器の分布に関する情報を取得するように配置されている。その中、取得ユニット１１０が取得する分布情報は、少なくとも、スレーブ装置（ｓｌａｖｅ  ｄｅｖｉｃｅ）の分布情報を含む。スレーブ装置は、例えば、デバイス・ツー・デバイス（Ｄ２Ｄ）通信過程においてマスター装置（ｍａｓｔｅｒ  ｄｅｖｉｃｅ）により通信サービスを取得するユーザー機器である。幾つかの例において、スレーブ装置は、マシンツーマシン（Ｍ２Ｍ）通信過程においてマスター装置によりデータを送信するＭ２Ｍ装置である。また、具体的応用に応じて、取得ユニット１１０が取得する分布情報は、マスター装置の分布情報を含んでもよい。相応するように、マスター装置は、例えばＤ２Ｄ／Ｍ２Ｍ通信過程において他のＤ２Ｄ／Ｍ２Ｍ装置にデータを転送するユーザー機器であり、例えば、マスター装置は、基地局などのネットワークインフラストラクチャと通信してもよい。
【００１４】
図２には、本発明の実施例を応用できる通信システムの例を示している。例として、図２には、３ＧＰＰに基づくＤ２Ｄ通信シーンにおける通信システムを示し、且つ後で具体的実施例の記述において、主にこの応用シーンについて説明する。ところが、本発明の実施例が応用できるシーンは当該例に限定されない。本発明の実施例は、他のアクティブネットワーク、例えば、無線ネットワーク（ＷｉＦｉ）に基づくピアツーピア（Ｐ２Ｐ）ネットワーク、Ａｄ  ｈｏｃネットワーク、異種ネットワークなどに応用してもよい。
【００１５】
図２に示す例のシステムは、基地局（例えば、ｅＮＢ）、及び複数の通信装置を含む。通信装置は、マスター装置、例えば、マスターＤ２Ｄ装置ａ、マスターＤ２Ｄ装置ｂ、マスターＤ２Ｄ装置ｃ、及びスレーブＤ２Ｄ装置を含む。相応するマスターＤ２Ｄ装置の信号カバー範囲内に位置するスレーブＤ２Ｄ装置は、相応するマスターＤ２Ｄ装置とデータ通信を行ってもよく、相応するマスターＤ２Ｄ装置を介して他の通信サービスを得てもよく、例えば、相応するマスターＤ２Ｄ装置を介してｅＮＢと通信し無線リソース管理などのサービスを得てもよい。
【００１６】
本発明の一実施例による通信装置１００は、ユーザー機器側の通信装置、例えば、マスターＤ２Ｄ装置として実施されてもよく、基地局側の通信装置として実施されてもよい。また、ユーザー側と基地局側とに分布している装置は通信装置１００の機能を協同して完成してもよい。
【００１７】
続いて、図１を参照し、確定ユニット１２０は、取得ユニット１１０が取得した情報に応じてアクティブネットワークの再配置方式を確定するように配置されている。
【００１８】
例えば、再配置方式は、マスター装置に対する再選択及び／又はマスター装置の動作パラメータに対する再設置を含んでもよい。より具体的に、マスター装置の動作パラメータに対する再設置は、マスター装置の送信電力の調整及び／又はマスター装置のサービスするスレーブ装置の調整（例えば、スレーブ装置リストにおける装置ＩＤの調整）を含む。なお、マスター装置に対する再選択は、一般に、通信装置１００が基地局側装置として実現される場合に対応するが、本発明はこれに限定されず、例えば、ユーザー（ＵＥ）が中央管理ノードとすることができる引用シーンにおいて、当該ＵＥ側に位置する通信装置１００（例えば、Ｄ２Ｄ装置クラスタのクラスタヘッド）もマスター装置に対する再選択を行うように配置されてもよい。
【００１９】
トリガーユニット１３０は、確定ユニット１２０が確定した方式に応じて、アクティブネットワークを再配置するように配置されている。例えば、トリガーユニット１３０は、制御シグナリングにより相応する装置に対して当該再配置を行うことを通知してもよい。通信装置１００が基地局側装置として実施される例において、トリガーユニット１３０は、例えば、物理下りリンク制御チャネル（ＰＤＣＣＨ）がロードする電力制御情報により相応するマスター装置に対してＤ２Ｄ送信電力の再配置を行うことを通知し、また、例えば、物理下りリンク共有チャネル（ＰＤＳＣＨ）にロードされているＭＡＣ層の制御要素（Ｃｏｎｔｒｏｌ  Ｅｌｅｍｅｎｔ）により相応するマスター装置に対してそのサービスするスレーブユーザーを調整することを通知する。通信装置１００がユーザー側装置として実施される例において、例えば、マスター装置は、トリガーユニット１３０が例えば物理上りリンク共有チャネル（ＰＵＳＣＨ）にロードされている上位シグナリングにより、解放しようとするスレーブ装置がＤ２Ｄ通信を終止するメッセージを指示して再配置をトリガーする。
【００２０】
前記のように、本発明の一実施例による通信装置１００が行う処理は、ユーザー機器側、基地局側で行われてもよく、ユーザー機器側と基地局側とが協同して行われてもよい。次に、それぞれ図３乃至図５を参照して本発明の実施例のアクティブネットワークのユーザー機器の分布測定トリガーとアクティブネットワークの配置確定過程の例示的方式を説明する。
【００２１】
図３には、ノード分布測定トリガーとシステム再配置判定の過程はいずれも基地局側で行われる例示的場合を示している。
【００２２】
過程（１）において、ｅＮＢがノード測定をトリガーする。可能なトリガー条件は、ｅＮＢがノード分布測定結果に応じてＤ２Ｄ装置に対してリソース割当とスケジューリングを行う必要があり、例えば、ｅＮＢが変化したネットワーク状態に基づいてＤ２Ｄ装置の電力レベルを調整する必要があることを確定すること、又は、利用可能なリソースプール、例えば、Ｄ２Ｄ発見のためのリソースプール、及びＤ２Ｄ通信のためのリソースプールなどを調整することを含む。
【００２３】
過程（２）において、係る装置、例えばｅＮＢ、マスターＤ２Ｄ装置、又はＤ２Ｄ装置の間にノード分布測定を行う。
【００２４】
過程（３）において、ｅＮＢは、ノード分布測定結果に応じてシステム／リソース再配置の判定を行う。
【００２５】
図４には、マスターＤ２Ｄ装置が行うノード分布測定トリガーと、システム再配置判定の例示的場合を示している。
【００２６】
過程（１）において、マスターＤ２Ｄ装置はノード分布測定をトリガーする。可能なトリガー条件は、例えば、ｅＮＢがマスターＤ２Ｄ装置に対して電力を変えることを通知し、又は選択可能なリソースプールを変えるようなマスターＤ２Ｄ装置の利用可能なリソースの変化と、例えば、内部に設置された分布測定をトリガーするための周期タイマーが起動され、又はマスターＤ２Ｄ装置の移動性が変化し（例えば、位置が移動を開始し、切替を引き起こす可能な測定報告イベントが生じる）、或いは電池の電力量が閾値よりも低いようなマスターＤ２Ｄ装置自身の状態の変化と、例えば、スループットの低減、リンク品質の低減などのサービスするスレーブＤ２Ｄ装置の状態変化などを含む。
【００２７】
過程（２）において、係る装置、例えばｅＮＢ、マスターＤ２Ｄ装置、又はＤ２Ｄ装置の間にノード分布測定を行う。
【００２８】
過程（３）において、マスターＤ２Ｄ装置は、ノード分布測定結果に応じてシステム／リソース再配置の判定を行う。
【００２９】
図５には、マスターＤ２Ｄ装置がノード分布測定をトリガーし、ｅＮＢがシステム再配置判定を行う例示的場合を示している。
【００３０】
過程（１）において、マスターＤ２Ｄ装置はノード分布測定をトリガーする。可能なトリガー条件は、上で図４を参照して説明したトリガー条件と類似する。
【００３１】
過程（２）において、係る装置は例えばｅＮＢ、マスターＤ２Ｄ装置、又はＤ２Ｄ装置の間にノード分布測定を行う。
【００３２】
過程（３）において、ｅＮＢは、ノード分布測定結果に応じてシステム／リソース再配置の判定を行う。
【００３３】
次に、通信装置がマスターユーザー機器とネットワークインフラストラクチャである場合の具体的実施形態をそれぞれ説明する。
【００３４】
一実施形態による通信装置はマスターユーザー機器であり、つまり、他の通信装置は、本実施例による通信装置を介して通信サービスを得ることができ、例えば、基地局とデータ通信を行い、又は基地局の無線リソース管理サービスなどを得る。
【００３５】
図６には、当該実施例による通信装置６００の配置例を示している。通信装置６００は、取得ユニット６１０と、確定ユニット６２０と、トリガーユニット６３０と、分布測定トリガーユニット６４０とを含む。取得ユニット６１０と、確定ユニット６２０と、トリガーユニット６３０との配置はそれぞれ前で図１を参照して説明した取得ユニット１１０と、確定ユニット１２０と、トリガーユニット１３０とに類似する。その中、取得ユニット６１０が取得したユーザー機器の分布情報は、通信装置６００のサービスする範囲、即ち、信号カバー範囲内のユーザー機器の分布情報を含んでもよく、当該分布情報が、例えば、ユーザー機器の密度を含む。
【００３６】
分布測定トリガーユニット６４０は、取得ユニット６１０によりユーザー機器の分布情報を確定するように、所定のイベントに基づいて通信装置６００の信号カバー範囲内のユーザー機器が分布測定信号を送信することをトリガーするように配置されている。
【００３７】
例えば、分布測定トリガーユニット６４０は、以下のイベントの一つ又は複数に基づいて分布測定をトリガーすることができる：
（１）通信装置６００の移動特性の変化が所定の条件を満たし、例えば、位置、速度、動き方向が変化し、又はセル切替、キャリア・アグリゲーション変化（例えば、スレーブセルを増減する）、デュアルコネクティビティ変化（例えば、基地局とのデュアルコネクティビティを確立し、解放する）などが生じることと、
（２）通信装置６００の信号送信パラメータの変化が所定の閾値を超え、その中、信号送信パラメータは、例えば、基地局配置の電力、変調符号化方式（ＭＣＳ）、サービスするスレーブユーザー機器の間の利用可能なリソースプールなどを含み、例えば、通信装置６００の自身の電池電力量の変化による送信電力の変化等を含んでもよいことと、
（３）分布測定をトリガーするためのタイマーがタイミング条件に達し、当該条件が分布測定の全体配置を周期的に行うことに対応することと、
（４）通信装置６００とそれがサービスするスレーブユーザー機器との間の通信状態が所定の条件を満たし、例えば、チャネル品質が所定のレベルよりも低いことなどである。
【００３８】
また、分布測定トリガーユニット６４０は、以下の方式の少なくとも一つにより、通信装置６００の信号カバー範囲内のユーザー機器が分布測定信号を送信することをトリガーすることができる：
（１）通信装置６００の信号カバー範囲内のユーザー機器へ、分布測定要求に関するブロードキャスト信号（第１のブロードキャスト信号）、例えば、Ｄ２Ｄ通信の参照信号（Ｄ２Ｄ発見信号、Ｄ２Ｄ同期信号又は新しく定義する信号などを含む）を送信する方式と、
（２）通信装置６００のサービス基地局へ分布測定要求メッセージを送信してサービス基地局により通信装置６００の信号カバー範囲内のユーザー機器が分布測定信号を送信することをトリガーする方式である。
【００３９】
後で図８乃至図１０を参照して、マスターＤ２Ｄ装置により開始される分布測定、及び分布測定に基づいて再配置判定を行う例示的過程を詳細に説明する。
【００４０】
前で言及されたとおり、取得ユニット６１０は、マスターＤ２Ｄ装置としての通信装置６００の信号カバー範囲内のユーザー機器の密度を取得するように配置されてもよい。また、取得ユニット６１０は、通信装置６００のサービスするスレーブ装置とされないユーザー機器からのブロードキャスト信号（第２のブロードキャスト信号）を、分布測定信号として通信装置６００の信号カバー範囲内のユーザー機器の密度を推定してもよい。その中、当該ブロードキャスト信号は、Ｄ２Ｄ発見信号、Ｄ２Ｄ同期信号又は新しく定義する信号などを含んでもよい。
【００４１】
例えば、通信装置６００の信号カバー範囲内の通信装置６００にサービスされていないユーザー機器は、通信装置６００からの分布測定要求に関するブロードキャスト信号（第１のブロードキャスト信号）に応答し、或いは自発的に一定の信号強度でユーザー身元を含むブロードキャスト信号（第２のブロードキャスト信号）（例えば、Ｄ２Ｄ発見信号）を送信してもよい。通信装置６００は、周辺のユーザー機器からの第２のブロードキャスト信号をモニタリングし、例えば、所定の信号強度閾値を超えたユーザー機器をカウントしてもよい。その中、信号解析によりユーザー機器の身元認識を取得し、且つ同一のユーザー機器を一回だけカウントしても良い。所定の時間内の通信装置６００にサービスされていないユーザーの数と、既にサービスされたスレーブユーザー機器の数との和を統計し、その和を有効信号カバー面積で除算して現在の有効信号カバー範囲内のユーザー機器の密度を得てもよい。当業者は、ユーザー機器の密度を得る方式がこの例示的方式に限定されないと分かることができる。
【００４２】
例えば、ユーザー機器は、その位置をある地理位置管理モジュールに報告し、マスターユーザー機器としての通信装置６００は、自身の電力配置情報を当該地理位置管理モジュールに報告してもよい。これにより、当該地理位置管理モジュールにより通信装置６００の有効信号カバー範囲内のユーザー機器の数を算出し、有効信号カバー面積で除算して現在の有効信号カバー範囲内のユーザー密度を得ることができる。
【００４３】
相応するように、図７に示すように、一実施例による通信装置７００は、取得ユニット７１０と、確定ユニット７２０と、トリガーユニット７３０と、報告ユニット７４０とを含む。確定ユニット７２０と、トリガーユニット７３０との配置は、前で図１と図６を参照して説明した確定ユニット１２０又は６２０と、トリガーユニット１３０又は６３０にそれぞれ類似する。報告ユニット７４０は、通信装置７００の位置及び／又は送信電力に関する情報を、ネットワークインフラストラクチャ、例えば、ｅＮＢに報告するように配置されている。取得ユニット７１０は、当該ネットワークインフラストラクチャから、通信装置７００の信号カバー範囲内のユーザー機器の密度に関する情報を取得するように配置されている。
【００４４】
いずれの方式を採用して、信号カバー範囲内のユーザー機器の密度に関する情報を得るにも関わらず、本発明の上記実施例による通信装置は、確定ユニットが、ユーザー機器の密度とネットワーク性能との間の所定関係に応じて当該通信装置の動作パラメータを確定することができる。具体的に、動作パラメータは、通信装置の送信電力及び／又は通信装置のサービスするスレーブ装置の最大数を含むことができる。その中、通信装置のサービスするスレーブ装置の最大数は一つのマスターＤ２Ｄ装置に関連するスレーブＤ２Ｄ装置の数を制限するパラメータであり、即ち、マスターＤ２Ｄ装置のサービスするスレーブＤ２Ｄ装置の数は必ず当該最大数以下である。
【００４５】
例えば、予め算出するにより異なるノード密度でネットワーク性能を最適化させるマスター／スレーブＤ２Ｄ装置配置を推定してもよい。その中、ネットワーク性能は、システム容量、システムスループットなどを含んでもよい。マスター／スレーブＤ２Ｄ装置配置は、例えば、マスターＤ２Ｄ装置分布密度、又はマスターＤ２Ｄ装置の間の最小距離、マスターＤ２Ｄ装置の最大電力、又はマスターＤ２Ｄ装置の有効信号カバー半径、一つのマスターＤ２Ｄに関連可能な最大スレーブＤ２Ｄの数などを含んでもよい。
【００４６】
また、ノード密度を異なる区間に区画し、これらの区間に応じて、ノード分布測定結果を判断してもよい。例えば、現在に測定したノード密度と先に測定した結果とがそれぞれ異なる区間に属すると、動作パラメータの調整を行い、例えば、マスター／スレーブＤ２Ｄの再選択及びマスターＤ２Ｄ装置の電力調整を開始させる。一方、現在に測定したノード密度と先に測定した結果とが同一の区間に属すると、さらに、二回の測定結果の差分が特定の閾値を超えるかどうかを確定し、当該閾値を超えたと、動作パラメータの調整を行い、さもなければ、現在の動作パラメータを変えない。例として、当該特定の閾値は、区間の長さの半分として設定してもよい。例えば、あるノードの数の区間が（ａ、ｂ）であると、当該閾値は｜ａ−ｂ｜／２として設定してもよい。
【００４７】
次に、ノード密度に応じてマスター／スレーブＤ２Ｄ配置を最適化させる例示的方式を説明する。
【００４８】
まず、基準相互排除距離を算出する。基地局の送信電力と基準ユーザーパラメータとを提供し、一定の最適化目標に応じて、Ｄ２Ｄネットワーク構造におけるマスターＤ２Ｄ装置の相互排除距離を基準相互排除距離として算出する。その中、基準ユーザーパラメータは、ユーザー密度λ０（ネットワークが統計する平均ユーザー密度を選択してもよい）、ユーザー間の通信に許可される最大送信電力Ｐ０，ｍａｘ、ユーザー間の正常な通信に必要なＳＩＮＲ閾値Ｔ、パス損失指数αを含む。具体的に、送信電力に応じてユーザー機器間の有効送信距離を確定し、ユーザー機器の間の距離が有効送信距離よりも大きいと、ユーザー機器の間に通信を行うことができない。つまり、マスターユーザー機器の分布は、少なくとも、それがサービスするスレーブユーザー機器が当該マスターユーザー機器と信号を送受信できることを満たす必要がある。また、ユーザー機器の送信電力と、ＳＩＮＲ要求と応じて、マスターユーザー機器の分布は、さらに、同一のスペクトルリソースを使用するマスターユーザー機器と、それがサービスするスレーブユーザー機器とからなるリンクが受けた信号と受けた干渉が当該ＳＩＮＲ要求を満たすようにすることを満たすべきである。例えば、上記の最適化目標に基づいて、各種の方式により基準相互排除距離を確定してもよく、Ｄ０と記される。
【００４９】
次に、マスターＤ２Ｄ装置のロード量に応じて基準マスターＤ２Ｄ装置カバー半径ｒ０と実ユーザー密度λ１に対応するユーザーカバー半径ｒ１とを算出する。マスターＤ２Ｄ装置のロード量は、それがサポートできるスレーブＤ２Ｄ装置の数を示し、Ｎｓと示す。設定に応じて、ユーザー分布はＰＰＰモデルに該当し、一定の図形Ａ内のノード数がλ０｜Ａ｜であり、｜Ａ｜が図形Ａの面積を示す。すると、
【数１】
2018504044.tif 000003
【数２】
2018504044.tif 000004
【数３】
2018504044.tif 000005
【００５０】
その後、基準相互排除距離に応じて、実ノード密度に対応する実相互排除距離Ｄ１と実際の最大電力Ｐ１，ｍａｘを得る。実際の最大電力は、そのカバー範囲のエジのユーザーの受信電力が基準の場合と一致し、且つユーザー間の通信に許可される最大送信電力Ｐ０，ｍａｘを超えないこと確保し、すると、
【数４】
2018504044.tif 000006
【数５】
2018504044.tif 000007
【００５１】
本発明の一実施例による通信装置の確定ユニットがユーザー機器の密度に応じて通信装置の動作パラメータを確定する方式は以上の例において提供する具体的細部に限定しないと理解される。
【００５２】
確定された動作パラメータの目標値と動作パラメータの現在の実際値との間の関係に基づいて、確定ユニットは異なる原則に応じてさらに動作パラメータの調整方式を確定することができる。例えば、通信装置の実送信電力が確定された目標送信電力より大きい場合に、確定ユニットは、以下の原則に基づいて動作パラメータの調整方式を確定することができる：
（１）スレーブ装置の信号品質を確保する場合に、送信電力を低減させる方式、又は
（２）送信電力が確定された送信電力を超えないまで、サービスするスレーブ装置の通信品質の昇順に応じてスレーブ装置を順に削除するとともに、送信電力を低減させる方式である。
【００５３】
上記方式（１）において、サービスするスレーブ装置の数を変えない場合に、できるだけマスター装置の送信電力を低減させ、それが目標送信電力により近づけるようにして、システム性能を向上させる。
【００５４】
上記方式（２）において、通信品質の優先度に従ってサービスするスレーブ装置を削除することにより、できるだけ、マスター装置の送信電力が目標送信電力に達するようにして、システム性能を向上させる。
【００５５】
しかし、本発明は、上記の二つの方式に限定せず、例えば、上記二つの方式の組合せを採用して、スレーブ装置数の確保と、マスター装置送信電力の低減との間にバランスをとる方式によりパラメータ調整方式を確定することができる。
【００５６】
また、通信装置の実送信電力が確定された目標送信電力よりも小さい場合、及び通信装置のサービスするスレーブ装置の数を増大することを望む場合が可能である。この場合、具体的動作パラメータ調整方式、例えば、通信装置の送信電力を増大すること、スレーブ装置の数を増加することなどを類似して確定してもよい。
【００５７】
確定ユニットが通信装置の動作パラメータの調整方式を確定した後、トリガーユニットは相応するパラメータ調整過程をトリガーしてもよい。例えば、確定された送信電力に応じて通信装置の送信電力を調整してもよい。また、通信装置のスレーブ装置へＤ２Ｄ通信解放要求を送信し、通信装置の信号カバー範囲内の、まだ当該通信装置のスレーブ装置とされないユーザー機器へＤ２Ｄ通信確立要求などを送信してもよい。
【００５８】
次に、図８乃至図１０を参照して、本発明の一実施例による通信装置がマスターＤ２Ｄ装置である場合に、当該マスターＤ２Ｄ装置が分布測定を開始させ、及び分布測定に基づいて再配置判定を行う例示的過程を説明する。
【００５９】
図８に示す例示的過程では、過程（１）において、マスターＤ２Ｄ装置、即ち、本実施例による通信装置はノード分布測定をトリガーする。前記のように、可能なトリガー条件は、例えば、マスターＤ２Ｄ装置利用可能なリソース変化、マスターＤ２Ｄ装置の自身状態変化、サービスするスレーブＤ２Ｄ装置状態変化などを含む。
【００６０】
（２．１）において、Ｄ２Ｄ装置（それがまだスレーブ装置とされない）はノード分布測定信号を自律的に送信する。当該ノード分布測定信号は、Ｄ２Ｄ装置のＩＤ及び／又は当該信号の送信電力を持ってもよく、当該信号は、Ｄ２Ｄシステムが既に定義した信号、例えば、Ｄ２Ｄ発見信号又はＤ２Ｄ同期信号を流用してもよく、専用に定義する新しい参照信号であってもよい。当該ノード分布測定信号は、Ｄ２Ｄ装置が周期的に送信するものであってもよく、Ｄ２Ｄ装置がある条件によってトリガーするものであってもよい。これらの条件は、例えば、リンク品質低下、電力調整、ノード移動などを含む。この場合に、マスターＤ２Ｄ装置は、ノード分布測定をトリガーした後に直接に当該信号のモニタリング階段に進んでもよい。
【００６１】
（２．２）において、マスターＤ２Ｄ装置は、モニタリングされたノード分布測定信号を解析して、周辺ノード数変化を確定する。システムのうちノード分布測定信号が持っている情報の違いによって、異なる解析方法がある。例えば、当該信号が所定の電力で送信する心拍信号であると、マスターＤ２Ｄ装置は受信した信号強度に応じて送信地と自身との距離を推定してもよい。例えば、マスターＤ２Ｄ装置が受信した、マスターＤ２Ｄ装置有効信号カバー範囲エジにあるＤ２Ｄノードが送信する信号の強度を閾値として、受信信号強度が当該閾値よりも高いＤ２Ｄ装置が当該マスターＤ２Ｄ装置の有効カバー範囲内に位置すると認められ、当該閾値よりも低いＤ２Ｄ装置が当該マスターＤ２Ｄ装置有効カバー範囲以外に位置すると認められる。マスターＤ２Ｄ装置は、その有効カバー範囲内に位置するノードのみをカウントしてもよい。ノード分布測定信号は、送信ノードのＩＤを持ってもよく、又は他の方式でそれぞれの送信ノードの信号を互いに区別して、繰り返してカウントすることを避ける。ノード区別情報がなければ、それぞれのＤ２Ｄ装置が一定の頻度で周期的に信号を送信すると、モニタリング時間範囲により繰り返してカウントする回数を推定してもよい。
【００６２】
次に、過程（３）において、マスターＤ２Ｄ装置は、分布測定信号のモニタリング結果に基づいて動作パラメータの調整を確定する。
【００６３】
図８の例示的過程において、Ｄ２Ｄ装置はノード分布測定信号を自律的送信する。しかしながら、Ｄ２Ｄ装置は、マスターＤ２Ｄ装置からのトリガーに応じてノード分布測定信号を送信してもよい。
【００６４】
図９に示すように、過程（１）において、マスターＤ２Ｄ装置はノード分布測定をトリガーする。
【００６５】
（２．２）において、マスターＤ２Ｄ装置はノード分布測定トリガー信号を送信し、当該信号がマスターＤ２Ｄ装置のＩＤ及び／又は当該信号の送信電力を持ってもよい。当該信号は、Ｄ２Ｄシステムが既に定義した信号、例えば、Ｄ２Ｄ発見信号又はＤ２Ｄ同期信号を流用してもよく、専用に定義する新しい参照信号であってよい。
【００６６】
（２．３）において、マスターＤ２Ｄ装置はノード分布測定信号モニタリング階段に移行する。
【００６７】
（２．４）において、Ｄ２Ｄ装置は、マスターＤ２Ｄ装置からのノード分布測定トリガー信号に対してモニタリングと解析とを行うことができる。その中、Ｄ２Ｄ装置は当該モニタリングと解析とを周期的にトリガーしてもよく、チャネルの状況が悪い際に、当該モニタリングと解析とをトリガーし、より良いサービスノードを探すようにしても良い。Ｄ２Ｄ装置は解析の結果に応じて、ノード分布測定信号を送信するかどうかを選択する。例えば、解析されたマスターＤ２Ｄ装置ＩＤが自分で許可し且つフィードバックに同意する範囲（「フィードバックに同意する範囲」とは、例えば、ある範囲のＩＤに該当するマスターＤ２Ｄのみにフィードバックを行う）に属するかは、次のノード分布測定信号の送信をトリガーする。また、Ｄ２Ｄ装置は、信号の送信電力と、受信した信号強度により当該信号の減衰程度を推定してリンク品質を判断し、リンク品質が一定の閾値を超えた場合のみ、フィードバックを行う（その中、当該閾値は正常の通信を確保する閾値であってもよく、現在にそれにサービスするリンク品質であってもよい）、さもなければ、Ｄ２Ｄは、当該ノード分布測定トリガー信号を無視することを選択してもよい。
【００６８】
（２．５）において、Ｄ２Ｄ装置は、ノード分布測定信号を送信し、当該信号は、Ｄ２Ｄ装置のＩＤ及び／又は当該信号の送信電力を持ってもよい。当該信号は、Ｄ２Ｄ発見信号、Ｄ２Ｄ同期信号又は専用に定義する新しい参照信号を含んでもよい。
【００６９】
（２．６）において、マスターＤ２Ｄ装置は、モニタリングされたノード分布測定信号を解析して、周辺ノード数変化を確認する。システムのうちノード分布測定信号が持っている情報の違いによって、異なる解析方法がある。その具体的方式は、上で図８に基づいて説明した過程（２．２）と類似するので、ここで説明を重複しない。
【００７０】
次に、過程（３）において、マスターＤ２Ｄ装置は、分布測定信号のモニタリング結果に応じて動作パラメータの調整を確定する。
【００７１】
図９の例示的過程において、Ｄ２Ｄ装置は、マスターＤ２Ｄ装置からのトリガーに応じてノード分布測定信号を送信する。また、マスターＤ２Ｄ装置は、基地局へノード分布測定要求を発し、基地局によりＤ２Ｄ装置に対してノード分布測定信号の送信を要求してもよい。
【００７２】
図１０に示すように、過程（１）において、マスターＤ２Ｄ装置はノード分布測定をトリガーする。
【００７３】
（２．１）マスターＤ２Ｄ装置は、ｅＮＢへノード分布測定要求を送信し、当該要求は、当該マスターＤ２Ｄ装置の地理位置、有効信号カバー範囲半径、現在の有効信号カバー範囲内のノード数などを含んでもよい。当該要求は、例えば、物理上りリンク制御チャネル（ＰＵＣＣＨ）又はある定義するメディアアクセス制御要素（ＭＡＣ  ＣＥ）又は上位層例えば、ＲＲＣシグナリングにより送信されてもよい。
【００７４】
（２．２）において、マスターＤ２Ｄ装置はノード分布測定信号モニタリング階段に移行する。
【００７５】
（２．３）において、ｅＮＢは、条件に符合するＤ２Ｄ装置へ、ノード分布測定信号送信要求を送信し、当該要求は、マスターＤ２Ｄ装置ＩＤ、測定の時間範囲、及び／又は当該時間範囲内にランダムに生じるそれぞれのＤ２Ｄ装置に対応する時点を含んでもよい、従って、当該要求は、ブロードキャスト又はそれぞれの選択されたＤ２Ｄ装置に対する通信リンクにより送信されてもよい。当該要求は、例えば、ＰＤＣＣＨ又はある定義するＭＡＣ  ＣＥ又は上位層例えば、ＲＲＣシグナリングにより送信してもよい。
【００７６】
（２．４）において、Ｄ２Ｄ装置は、受信したノード分布測定信号送信要求を分析し、結果に応じて、ノード分布測定信号を送信するかどうかを選択する。解析されたマスターＤ２Ｄ装置ＩＤが自分で許可しフィードバックに同意する範囲に属するかは、次のノード分布測定信号の送信をトリガーする。さらに、ｅＮＢが送信するノード分布測定信号送信要求にはマスターＤ２Ｄ装置の位置や、カバー範囲などが含まれたと、Ｄ２Ｄ装置は、信号の送信電力と、受信した信号強度により当該信号の減衰程度を推定し、リンク品質を判断し、リンク品質が一定の閾値を超えた場合のみ、フィードバックを行ってもよい。
【００７７】
次の過程（２．５）乃至（３）は上で図９を参照して説明した過程（２．５）乃至（３）と類似するので、ここでその重複する説明を省略する。
【００７８】
以上で通信装置がマスターＤ２Ｄ装置である例示的実施形態を説明し、次に、通信装置がネットワーク側インフラストラクチャ、例えば、基地局である例示的実施形態を説明する。
【００７９】
また図１を参照し、本発明の一実施例による通信装置１００が例えば、基地局のネットワークインフラストラクチャである場合に、通信装置１００の取得ユニット１１０が取得したアクティブネットワークのうちユーザー機器の分布情報は、特定の領域内のユーザー機器の密度を含んでもよい。当該特定の領域は、例えば、当該基地局のサービスカバー範囲、又は当該カバー範囲の一部を含んでもよい。より具体的に、取得ユニット１１０は、当該特定の領域内からのマスター装置の情報及び／又は当該特定の領域内のスレーブ装置とされないユーザー機器の情報に応じて当該密度を推定してもよい。
【００８０】
相応するように、本実施例による通信装置１００の確定ユニット１２０は、ユーザー機器の密度とネットワーク性能との間の所定関係に応じて当該領域内のユーザー機器の動作パラメータを確定するように配置されている。
【００８１】
具体的に、確定ユニット１２０が確定する動作パラメータは、マスター装置の目標密度、マスター装置のピッチ閾値、マスター装置の送信電力閾値、及びマスター装置のサービスするスレーブ装置の数の閾値などを含んでもよい。
【００８２】
前記のように、例えば、予め算出することにより異なるノード密度でネットワーク性能を最適化させるユーザー機器動作パラメータを推定してもよく、その具体的方式について前で詳細に説明した例示的方式と類似し、ここで説明を重複しない。
【００８３】
トリガーユニット１３０は、当該特定の領域内のマスター装置へマスター装置キャンセル要求を送信し、当該領域内のユーザー機器へマスター装置設置要求を送信し、又は当該領域内のマスター装置へ電力変更指令及び／又はスレーブユーザー変更指令を送信するように配置されてもよい。つまり、本実施例において、基地局としての通信装置１００はマスターＤ２Ｄ装置の具体的選択を確定し、及びマスターＤ２Ｄの動作パラメータ、例えば、送信電力、スレーブＤ２Ｄ装置の最大数などを確定してもよい。例えば、基地局は、Ｄ２Ｄ装置から基地局への信号強度の降順で、マスターＤ２Ｄ端末を順に選択し、それらの相互排除距離を満たすことを確保してもよい。
【００８４】
前で図８乃至図１０を参照して行った説明において提供する具体的細部を重複しない場合に、図１１乃至図１３を参照して本発明の一実施例による通信装置が基地局である場合に基地局が分布測定を開始させ、及び分布測定に基づいて再配置判定を行う例示的過程を説明し、図１４を参照してマスターＤ２Ｄ装置が分布測定を開始させ、基地局が分布測定に基づいて再配置判定を行う例示的過程を説明する。
【００８５】
図１１に示す例示的過程では、過程（１）において、基地局はノード分布測定をトリガーする。前記のように、可能なトリガー条件は例えば、ｅＮＢがノード分布測定結果に応じてＤ２Ｄ装置に対してリソース割当とスケジューリングを行う必要があり、例えば、Ｄ２Ｄ装置の電力レベル又は利用可能なリソースプールなどを調整する。
【００８６】
（２．１）において、ｅＮＢは、選択されたマスターＤ２Ｄ装置へノード分布測定要求を送信し、当該要求がＰＤＣＣＨ又はある定義したＭＡＣ  ＣＥ又は上位層例えば、ＲＲＣシグナリングにより送信されてもよい。
【００８７】
次の過程（２．２）乃至（２．６）は、前で図９を参照して説明した過程（２．２）乃至（２．６）と類似するので、ここで重複する説明を省略する。
【００８８】
（２．７）において、マスターＤ２Ｄ装置はノード分布測定結果をｅＮＢに報告する。
【００８９】
（３）において、基地局はノード分布測定結果に基づいて動作パラメータの調整を確定する。
【００９０】
図１２に示す例示的過程では、過程（１）において、基地局はノード分布測定をトリガーする。
【００９１】
（２．１）において、ｅＮＢは、選択されたマスターＤ２Ｄ装置へノード分布測定要求を送信する。
【００９２】
次の過程（２．２）乃至（２．６）は前で図９を参照して説明した過程（２．２）乃至（２．６）と類似するので、ここで重複する説明を省略する。
【００９３】
（２．７）において、マスターＤ２Ｄ装置はノード分布測定結果をｅＮＢに報告する。
【００９４】
（３）において、基地局はノード分布測定結果に基づいて動作パラメータの調整を確定する。
【００９５】
図１３に示す例示的過程では、過程（１）において、基地局はノード分布測定をトリガーする。
【００９６】
（２．１）ｅＮＢは、条件に符合するＤ２Ｄ装置へノード分布測定信号送信要求を送信する。当該要求は、ＰＤＣＣＨ又はある定義したＭＡＣ  ＣＥ又は上位層例えば、ＲＲＣシグナリングに送信されてもよい。
【００９７】
（２．２）において、Ｄ２Ｄ装置は、受信したノード分布測定信号送信要求を分析し、結果に応じて、ノード分布測定信号を送信するかどうかを選択する。
【００９８】
（２．３）において、Ｄ２Ｄ装置は、ｅＮＢへノード分布測定情報フィードバックし、当該情報は当該送信地の位置情報（例えば、ノードの経度、緯度）を持つことができるので、基地局は、当該位置情報に応じてＤ２Ｄ装置の分布状況を確定することができる。
【００９９】
（３）において、基地局は、ノード分布測定結果に基づいて動作パラメータの調整を確定する。
【０１００】
図１４に示す例において、図１３の例との相違は、過程（１）において、マスターＤ２Ｄ装置がノード分布測定をトリガーし、且つ（２．０）においてマスターＤ２Ｄ装置がｅＮＢへノード分布測定要求を送信することにある。次の過程（２．１）乃至（３）は図１３を参照して説明した相応する過程と類似するので、ここで重複する説明を省略する。
【０１０１】
次に、図１５と図１６を参照して本発明の一実施例による通信装置がトリガーするアクティブネットワーク再配置の例示的過程を説明する。
【０１０２】
図１５には、マスターＤ２Ｄ装置が行うスレーブＤ２Ｄ装置再選択、及びマスターＤ２Ｄ装置電力調整の例示的過程を示している。
過程（１）において、マスターＤ２Ｄ装置はスレーブＤ２Ｄ装置の再選択を開始させる。
過程（２）において、マスターＤ２Ｄ装置は、選択された関連されたスレーブＤ２Ｄ装置へ関連解放要求を送信する。
過程（３）において、関連されたスレーブＤ２Ｄ装置は、関連解放応答をフィードバックする。
過程（４）において、マスターＤ２Ｄ装置は、選択された新しく関連されるスレーブＤ２Ｄ装置へ関連確立要求を送信する。
過程（５）において、新しく関連されるスレーブＤ２Ｄ装置は関連確立応答をフィードバックする。
過程（６）において、マスターＤ２Ｄ装置は電力調整判定を行う。
過程（７）において、マスターＤ２Ｄ装置は選択された関連されたスレーブＤ２Ｄ装置と関連解放フローを行う。
過程（８）において、マスターＤ２Ｄ装置は選択された関連されないスレーブＤ２Ｄ装置と関連確立フローを行う。
過程（９）において、マスターＤ２Ｄ装置は、関連結果を基地局に報告する。
【０１０３】
具体的に、過程（１）において、マスターＤ２Ｄ装置は、受信したＤ２Ｄ装置信号強度の降順に応じて、サービスするスレーブＤ２Ｄ装置を再選択するとともに、スレーブＤ２Ｄ装置の数がロード可能なスレーブＤ２Ｄ装置の最大数を超えないようにすることができる。過程（６）において、マスターＤ２Ｄ装置は、選択されるノードのうち信号強度が最も低いＤ２Ｄ装置のリンク状況に応じて電力を調整し、その受信信号品質が正常な通信レベルに達することを確保する。当該電力は、システムの許可する、マスターＤ２ＤがスレーブＤ２Ｄをサービスする最大送信電力を超えたと、マスターＤ２Ｄの送信電力が最大値を超えないまで当該最低信号強度のスレーブＤ２Ｄ装置を削除し、次の信号強度のスレーブＤ２Ｄ装置を新たに考慮することができる。過程（９）において、マスターＤ２Ｄ装置が基地局に報告する選択結果は、サービスするスレーブＤ２Ｄ装置の数、及び／又はスレーブＤ２Ｄ装置をサービスする送信電力レベルなどを含んでもよい。
【０１０４】
図１６には、基地局が決定するマスター／スレーブＤ２Ｄ再選択及びマスターＤ２Ｄ装置電力調整の例示的過程を示している。
過程（１）において、基地局は、ノード分布測定結果に応じてマスターＤ２Ｄ装置を再選択する。
過程（２）において、基地局はオリジナルマスターＤ２Ｄ装置へマスターＤ２Ｄキャンセル要求を送信する。
過程（３）において、オリジナルマスターＤ２Ｄ装置とそれがサービスするスレーブＤ２Ｄ装置との間に関連解放フローを完成する。
過程（４）において、オリジナルマスターＤ２Ｄ装置はｅＮＢへマスターＤ２Ｄキャンセル応答をフィードバックする。
過程（５）において、基地局は選択された新マスターＤ２Ｄ装置へマスターＤ２Ｄ設定要求を送信し、当該要求は、マスターＤ２Ｄ装置が利用可能な最大電力、サービス可能なスレーブＤ２Ｄの最大数などを含んでもよい。
過程（６）において、新マスターＤ２Ｄ装置はスレーブＤ２Ｄ装置の選択と関連フローを行う。
過程（７）において、新マスターＤ２Ｄ装置はｅＮＢへマスターＤ２Ｄ設定応答フィードバックする。
【０１０５】
具体的に、過程（１）において、基地局は、Ｄ２Ｄ端末から基地局への信号強度の降順に従って、マスターＤ２Ｄ端末を順に選択し、それらの相互排除距離を満たすことを確保することができ、即ち、選択されたマスターＤ２Ｄ装置を中心として相互排除距離を半径とする円内にいずれかの他のマスターＤ２Ｄ装置を含まない。過程（５）において、基地局は、選択結果を選択されたＤ２Ｄに報知し、当該Ｄ２Ｄ装置がマスターＤ２Ｄ装置とし、それがサービスする最大送信電力、及びそれが関連可能なスレーブＤ２Ｄ装置の最大数などを含む。
【０１０６】
また、Ｄ２Ｄ装置はマスター／スレーブＤ２Ｄ再選択及びマスターＤ２Ｄ装置電力調整を自律的に行ってもよい。
【０１０７】
又は、基地局は全てのＤ２Ｄ装置へマスター／スレーブＤ２Ｄ再選択要求を送信してもよく、当該要求がノード分布測定結果が位置する区間のマスター／スレーブＤ２Ｄ装置の配置を含む。Ｄ２Ｄ装置は競争と協議の方式によりマスターＤ２Ｄ装置となり、マスターＤ２Ｄ装置の分布条件を満たしてもよい。そして、マスターＤ２Ｄ装置は、スレーブＤ２Ｄ装置を利用して再選択し、及びマスターＤ２Ｄ装置電力調整をして、それがサービスするスレーブＤ２Ｄ装置を選択しそれと接続を確立する。
【０１０８】
次に、前で記述された細部を重複しない場合に、本発明の一実施例による通信装置が実行する通信方法を説明する。
【０１０９】
図１７に示すように、本発明の一実施例による通信方法は、以下のステップを含む。
Ｓ１７１０において、アクティブネットワークにおけるユーザー機器の分布に関する情報を受信し、ユーザー機器は少なくともスレーブ装置を含み、スレーブ装置がデバイス・ツー・デバイス通信過程においてマスター装置により通信サービスを得る。
Ｓ１７２０において、取得した情報に応じてアクティブネットワークの再配置方式を確定する。
Ｓ１７３０において、確定した方式に応じてアクティブネットワークに対して行う再配置をトリガーする。
【０１１０】
本発明の一実施例による方法は、ネットワークインフラストラクチャ、例えば、基地局により実行されてもよく、マスターＤ２Ｄ装置としてのユーザー機器により実行され、ネットワークインフラストラクチャと通信装置とが協同して実行されてもよい。つまり、上記ステップＳ１７１０、Ｓ１７２０、Ｓ１７３０はいずれもネットワークインフラストラクチャにより実行され、いずれもユーザー機器により実行され、又はそれぞれ、ネットワークインフラストラクチャとユーザー機器とにより実行されてもよい。
【０１１１】
また、本発明の実施例は、非マスターＤ２Ｄ装置としてのユーザー機器をさらに含み、当該ユーザー機器がアクティブネットワークにおいて図８乃至図１４における「（ａ）Ｄ２Ｄ装置」としてもよい。
【０１１２】
図１８に示すように、本実施例による通信装置１８００は受信ユニット１８１０と送信ユニット１８２０とを含む。
【０１１３】
受信ユニット１８１０は、ユーザー機器（例えば、マスターＤ２Ｄ装置）又はネットワークインフラストラクチャ（例えば、基地局）からの送信要求を受信するように配置されている。例えば、受信ユニット１８１０は、例えば、ＰＤＣＣＨ又はＭＡＣ  ＣＥにより当該送信要求を受信する。
【０１１４】
送信ユニット１８２０は、通信装置１８００がスレーブ装置とされない場合に、受信した送信要求に基づいて、通信装置１８００のアクティブネットワークでの分布を確定するための参照信号を送信するように配置されている。当該参照信号は、通信装置１８００の標識情報を含んでもよい。
【０１１５】
その中、送信要求には参照信号を送信する時間配置を指示した場合に、送信ユニット１８２０は、指示された時間配置に従って参照信号を送信してもよい。
【０１１６】
また、受信ユニット１８１０は、ユーザー機器からの送信要求を含むブロードキャスト信号を受信してもよく、送信ユニット１８２０は、受信した送信要求を含むブロードキャスト信号強度が所定のレベルよりも高い場合のみ参照信号を送信してもよい。
【０１１７】
本発明の実施例は、ユーザー機器が実行する通信方法をさらに含み、当該ユーザー機器がアクティブネットワークにおいて図８乃至図１４における「（ａ）Ｄ２Ｄ装置」としてもよい。
【０１１８】
図１９に示すように、本実施例による通信装置が実行する通信方法は、
ユーザー機器又はネットワークインフラストラクチャからの送信要求を受信するＳ１９１０と、
この通信装置がスレーブ装置とされない場合に、要求に基づいてこの通信装置のアクティブネットワークでの分布を確定するための参照信号を送信するＳ１９２０とを含む。
【０１１９】
上記実施例を除き、本出願の実施例は、アクティブネットワークにおけるユーザー機器の分布に関する情報を取得し、取得した情報に応じてアクティブネットワークの再配置方式を確定し、確定された方式に応じてアクティブネットワークに対して行う再配置を確定するように配置されている回路又は一つ又は複数のプロセッサを含む通信装置をさらに含み、ユーザー機器は少なくともスレーブ装置を含み、スレーブ装置はデバイス・ツー・デバイス通信過程においてマスター装置により通信サービスを得る。
【０１２０】
本出願の他の一実施例によれば、通信装置を提供し、ユーザー機器又はネットワークインフラストラクチャからの送信要求を受信し、当該通信装置がスレーブ装置とされない場合に、要求に基づいて、当該通信装置のアクティブネットワークでの分布を確定するための参照信号を送信するように配置されている回路又は一つ又は複数のプロセッサを含む。
【０１２１】
例として、上記方法の各ステップ及び上記装置の各構成モジュール及び／又はユニットはソフトウェア、ファームウエア又はそれらの組合として実現できる。ソフトウェア又はファームウエアにより実現される場合に、記憶媒体或いはネットワークから専用ハードウェア構造を有するコンピュータ（例えば図２０に示す汎用パーソナルコンピュータ２０００）に上記方法を実施するためのソフトウェアのプログラムをインストールすることができ、当該コンピュータは各種のプログラムがインストールされている場合、各種の機能等を実行できる。
【０１２２】
図２０において、演算処理ユニット（即ち、ＣＰＵ）２００１は、読取専用メモリ（ＲＯＭ）２００２に記憶されているプログラム或いは記憶部２００８からランダムアクセスメモリ（ＲＡＭ）２００３にロードしたプログラムに基づいて各種の処理を実行する。ＲＡＭ２００３にも、必要に応じてＣＰＵ２００１が各種の処理等を実行する際に必要なデータが記憶される。ＣＰＵ２００１、ＲＯＭ２００２、ＲＡＭ２００３はバス２００４を介して互いに接続されている。入力／出力インタフェース２００５もバス２００４に接続されている。
【０１２３】
入力部２００６（キーボード、マウス等を含む）、出力部２００７（ディスプレイ、例えば陰極線管（ＣＲＴ）、液晶ディスプレイ（ＬＣＤ）等、スピーカ等を含む）、記憶部２００８（ハードディスク等を含む）、通信部２００９（ネットワークインタフェースカード例えばＬＡＮカード、モデム等を含む）は入力／出力インタフェース２００５に接続されている。通信部２００９は、ネットワーク、例えばインターネットを介して通信処理を実行する。必要に応じて、ドライバ２０１０も入力／出力インタフェース２００５に接続されてもよい。リムーバブルメディア２０１１、例えばディスク、光ディスク、光磁気ディスク、半導体メモリ等は、必要に応じてドライバ２０１０に装着され、その中から読み出したコンピュータプログラムが必要に応じて記憶部２００８にインストールされるようにする。
【０１２４】
ソフトウェアにより上記の一連の処理を実現する場合に、ネットワーク、例えばインターネット或いは記憶媒体、例えばリムーバブルメディア２０１１からソフトウェアを構成するプログラムをインストールする。
【０１２５】
当業者であれば、この種の記憶媒体は、図２０に示す、その中にプログラムが記憶され装置に別途配分してユーザーにプログラムを提供するリムーバブルメディア２０１１に限定されないことが理解される。リムーバブルメディア２０１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ２００２、記憶部２００８に含まれるハードディスク等であってもよく、その中にプログラムが記憶され、且つこれらを含む装置とともにユーザーに配分される。
【０１２６】
本発明の実施例は、さらに、機器が読み取り可能なプログラム指令コードを記憶しているプログラム製品に関する。前記指令コードは機器に読み取られて実行される場合に、上記本発明の実施例による方法を実行できる。
【０１２７】
対応するように、上記した機器が読み取り可能な指令コードが記憶されているプログラム製品を搭載するための記憶媒体も本発明の開示に含まれる。上記記憶媒体はフロッピーディスク、光ディスク、光磁気ディスク、メモリカード、メモリースティック等が含まれるが、これに限られない。
【０１２８】
本出願の実施例はさらに、以下の電子機器に関する。電子機器を基地局側に応用する場合に、電子機器は、任意のタイプの進化型ノードＢ（ｅＮＢ）、例えばマクロｅＮＢとスモールｅＮＢとして実現してもよい。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動することができる。
【０１２９】
電子機器をユーザー機器側に応用する場合に、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーション装置）として実現されてもよい。また、電子機器は、上記端末における端末ごとに取り付けられた無線通信モジュール（例えば単一又は複数のチップを含む集成回路モジュール）であってもよい。
【０１３０】
［端末デバイスの応用例について］
（第１の応用例）
図２１は本開示の内容の技術を応用できるスマートフォン２５００の概略的構成を示すブロック図である。スマートフォン２５００は、プロセッサ２５０１、メモリ２５０２、記憶装置２５０３、外部接続インタフェース２５０４、撮像装置２５０６、センサ２５０７、マイクロフォン２５０８、入力装置２５０９、表示装置２５１０、スピーカ２５１１、無線通信インタフェース２５１２、一つ又は複数のアンテナスイッチ２５１５、一つ又は複数のアンテナ２５１６、バス２５１７、バッテリー２５１８及び補助コントローラ２５１９を含む。
【０１３１】
プロセッサ２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インタフェース２５０４は、外部装置（メモリカードとユニバーサル・シリアル・バス（ＵＳＢ））をスマートフォン２５００に接続するためのインタフェースである。
【０１３２】
撮像装置２５０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ２５０７は例えば、測定センサ、ジャイロセンサ、地磁気センサ及び加速度センサなどのセンサ群を含み得る。マイクロフォン２５０８はスマートフォン２５００に入力される音声を音声信号に変換する。入力装置２５０９は例えば表示装置２５１０のスクリーン上のタッチを検出するように配置されるタッチセンサ、キーパッド、キーボード、ボタン又はスイッチを含み、ユーザーから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカ２５１１はスマートフォン２５００から出力される音声信号を音声に変換する。
【０１３３】
無線通信インタフェース２５１２は任意のセルラー通信方式（例えばＬＴＥ、ＬＴＥ−Ａｄｖａｎｃｅｄ）をサポートし、無線通信を実行する。無線通信インタフェース２５１２は、一般的に、例えばＢＢプロセッサ２５１３とＲＦ回路２５１４とを含んでもよい。ＢＢプロセッサ２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インタフェース２５１２はＢＢプロセッサ２５１３とＲＦ回路２５１４を集積した一つのチップモジュールであってもよい。図２１に示すように、無線通信インタフェース２５１２は複数のＢＢプロセッサ２５１３と複数のＲＦ回路２５１４を含んでもよい。図２１は無線通信インタフェース２５１２が複数のＢＢプロセッサ２５１３と複数のＲＦ回路２５１４を含む例を示したが、無線通信インタフェース２５１２は単一のＢＢプロセッサ２５１３又は単一のＲＦ回路２５１４を含んでもよい。
【０１３４】
また、セルラー通信方式を除き、無線通信インタフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方式をサポートしてもよく。この場合、無線通信インタフェース２５１２は無線通信方式ごとのＢＢプロセッサ２５１３とＲＦ回路２５１４を含んでもよい。
【０１３５】
アンテナスイッチ２５１５の各々は、無線通信インタフェース２５１２に含まれる複数の回路（例えば、異なる無線通信方式のための回路）の間にアンテナ２５１６の接続先を切り替える。
【０１３６】
アンテナ２５１６の各々は単一の又は複数のアンテナ素子（例えば、ＭＩＭＯアンテナに含まれる複数のアンテナ素子）を含み、無線通信インタフェース２５１２による無線信号の送受信のために用いられる。図２１に示すように、スマートフォン２５００は複数のアンテナ２５１６を含んでもよい。図２１はスマートフォン２５００が複数のアンテナ２５１６を含む例を示したが、スマートフォン２５００は単一のアンテナ２５１６を含んでもよい。
【０１３７】
また、スマートフォン２５００は無線通信方式ごとにアンテナ２５１６を含んでもよい。この場合、アンテナスイッチ２５１５はスマートフォン２５００の構成から省略されてもよい。
【０１３８】
バス２５１７は、プロセッサ２５０１、メモリ２５０２、記憶装置２５０３、外部接続インタフェース２５０４、撮像装置２５０６、センサ２５０７、マイクロフォン２５０８、入力装置２５０９、表示装置２５１０、スピーカ２５１１、無線通信インタフェース２５１２及び補助コントローラ２５１９を互いに接続する。バッテリー２５１８は図中に破線で部分的に示した支線を介して図２１に示すスマートフォン２５００の各ブロックに電力を供給する。補助コントローラ２５１９は例えば、スリープモードにおいて、スマートフォン２５００の必要最低限の機能を動作させる。
【０１３９】
（第２の応用例）
図２２は、本開示の内容の技術を応用できるカーナビゲーション装置２６２０の例示的構成の例を示すブロック図である。カーナビゲーション装置２６２０は、プロセッサ２６２１、メモリ２６２２、ＧＰＳ（Ｇｌｏｂａｌ  Ｐｏｓｉｔｉｏｎｉｎｇ  Ｓｙｓｔｅｍ）モジュール２６２４、センサ２６２５、データインタフェース２６２６、コンテンツプレーヤ２６２７、記憶媒体インタフェース２６２８、入力装置２６２９、表示装置２６３０、スピーカ２６３１、無線通信インタフェース２６３３、一つ又は複数のアンテナスイッチ２６３６、一つ又は複数のアンテナ２６３７及びバッテリー２６３８を含む。
【０１４０】
プロセッサ２６２１は例えばＣＰＵ又はＳｏＣであってもよく、カーナビゲーション装置２６２０のナビゲーション機能及びその他の機能を制御する。メモリ２６２２はＲＡＭとＲＯＭを含み、データと、プロセッサ２６２１により実行されるプログラムを記憶する。
【０１４１】
ＧＰＳモジュール２６２４はＧＰＳ衛星から受信されるＧＰＳ信号を用いて、カーナビゲーション装置２６２０の位置（例えば、緯度、経度及び高度）を測定する。センサ２６２５は、例えば、ジャイロセンサ、地磁気センサ及び気圧センサのセンサ群を含んでもよい。データインタフェース２６２６は、図示しない端末を介して例えば、車載ネットワーク２６４１に接続され、車両で生成されるデータ（例えば車速データ）を取得する。
【０１４２】
コンテンツプレーヤ２６２７は記憶媒体インタフェース２６２８に挿入される記憶媒体（例えば、ＣＤ又はＤＶＤ）に記憶されているコンテンツを再生する。入力装置２６２９は例えば表示装置２６３０のスクリーン上のタッチを検出するように配置されるタッチセンサ、ボタン又はスイッチを含み、ユーザーから入力される操作又は情報を受信する。表示装置２６３０は例えばＬＣＤ又はＯＬＥＤディスプレイのスクリーンを含み、ナビゲーション機能の画像又は再生されるコンテンツを表示する。スピーカ２６３１は、ナビゲーション機能の音声又は再生されるコンテンツを出力する。
【０１４３】
無線通信インタフェース２６３３は任意のセルラー通信方式（例えばＬＴＥ、ＬＴＥ−Ａｄｖａｎｃｅｄ）をサポートし、無線通信を実行する。無線通信インタフェース２６３３は、一般に、例えばＢＢプロセッサ２６３４とＲＦ回路２６３５とを含んでもよい。ＢＢプロセッサ２６３４は例えば符号化／復号化、変調／復調及び多重化／逆多重化を実行し、無線通信のための様々な信号処理を実行してもよい。一方、ＲＦ回路２６３５は例えばミキサ、フィルタ及びアンプを含んでもよく、アンテナ２６３７を介して無線信号を送受信する。無線通信インタフェース２６３３はＢＢプロセッサ２６３４とＲＦ回路２６３５を集積したワンチップのモジュールであってもよい。図２２に示すように、無線通信インタフェース２６３３は複数のＢＢプロセッサ２６３４と複数のＲＦ回路２６３５を含んでもよい。図２２は無線通信インタフェース２６３３が複数のＢＢプロセッサ２６３４と複数のＲＦ回路２６３５を含む例を示したが、無線通信インタフェース２６３３は単一のＢＢプロセッサ２６３４又は単一のＲＦ回路２６３５を含んでもよい。
【０１４４】
また、セルラー通信方式を除き、無線通信インタフェース２６３３は他の種類の無線通信方式、例えば、近距離無線通信方式、近接無線通信方式又は無線ＬＡＮ方式をサポートしてもよい。この場合、それぞれの無線通信方式に対して、無線通信インタフェース２６３３はＢＢプロセッサ２６３４とＲＦ回路２６３５を含んでもよい。
【０１４５】
アンテナスイッチ２６３６の各々は、無線通信インタフェース２６３３に含まれる複数の回路（例えば、異なる無線通信方式のための回路）の間にアンテナ２６３７の接続先を切り替える。
【０１４６】
アンテナ２６３７中の各々は、単一の又は複数のアンテナ素子（例えば、ＭＩＭＯアンテナに含まれる複数のアンテナ素子）を含み、無線通信インタフェース２６３３による無線信号の送受信のために用いられる。図２２に示すように、カーナビゲーション装置２６２０は複数のアンテナ２６３７を含んでもよい。図２２はカーナビゲーション装置２６２０が複数のアンテナ２６３７を含む例を示したが、カーナビゲーション装置２６２０は単一のアンテナ２６３７を含んでもよい。
【０１４７】
また、カーナビゲーション装置は無線通信方式ごとにアンテナ２６３７を含んでもよい。この場合、アンテナスイッチ２６３６はカーナビゲーション装置２６２０の構成から省略されてもよい。
【０１４８】
バッテリー２６３８は、図中に破線で部分的に示した支線を介して、図２２に示したカーナビゲーション装置２６２０の各ブロックに電力を供給する。また、バッテリー２６３８は、車両側から給電される電力を蓄積する。
【０１４９】
本開示の内容の技術は、カーナビゲーション装置２６２０と、車載ネットワーク２６４１と、車両モジュール２６４２との中の１つ又は複数のブロックを含む車載システム（又は車両）２６４０として実現されてもよい。車両モジュール２６４２は車両データ（例えば車速、エンジン回転数、故障情報）を生成し、生成したデータを車載ネットワーク２６４１に出力する。
【０１５０】
以上で、本発明の具体的な実施例の記述において、一種の実施形態に対して記述及び／又は示す特徴は、同一又は類似の方式で一つ又は複数の他の実施形態に使用され、他の実施形態における特徴と組合せ、又は他の実施形態における特徴を置き換えることができる。
【０１５１】
なお、用語「含む／包含」は、本文で使用される際に、特徴、要素、ステップ又はコンポーネントの存在を指すが、一つ又は複数の他の特徴、要素、ステップ又はコンポーネントの存在又は添加を排除しない。
【０１５２】
上記の実施例と例において、数字からなる符号を用いてそれぞれのステップ及び／又はユニットを示した。当業者であれば、これらの符号は、記述と製図を便宜に行うために、その順序又はいかなる他の限定を示すことはない。
【０１５３】
また、本発明の方法は、明細書に記述される時間順に従って実行されることを限定せず、他の時間順に従って、並行又は独立に実行されることが可能である。従って、本明細書に記述される方法の実行順は、本発明の技術的範囲を制限しない。
【０１５４】
以上に本発明の具体的な実施例に対する記述にて本発明を開示したが、上記の全ての実施例と例は例示的であり、制限しないと理解される。当業者は付随する特許請求の精神と範囲において、本発明に対する各種の修正、改進または均等物を設計することができる。これらの修正、改進または均等物も本発明の保護範囲に該当することは明らかである。
【図１】
2018504044.tif 000008
【図２】
2018504044.tif 000009
【図３】
2018504044.tif 000010
【図４】
2018504044.tif 000011
【図５】
2018504044.tif 000012
【図６】
2018504044.tif 000013
【図７】
2018504044.tif 000014
【図８】
2018504044.tif 000015
【図９】
2018504044.tif 000016
【図１０】
2018504044.tif 000017
【図１１】
2018504044.tif 000018
【図１２】
2018504044.tif 000019
【図１３】
2018504044.tif 000020
【図１４】
2018504044.tif 000021
【図１５】
2018504044.tif 000022
【図１６】
2018504044.tif 000023
【図１７】
2018504044.tif 000024
【図１８】
2018504044.tif 000025
【図１９】
2018504044.tif 000026
【図２０】
2018504044.tif 000027
【図２１】
2018504044.tif 000028
【図２２】
2018504044.tif 000029
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
通信装置であって、
アクティブネットワークにおけるユーザー機器の分布に関する情報を取得し、前記ユーザー機器は少なくともスレーブ装置を含み、前記スレーブ装置がデバイス・ツー・デバイスの通信過程においてマスター装置により通信サービスを得るように配置される取得ユニットと、
前記情報に応じて前記アクティブネットワークの再配置方式を確定するように配置される確定ユニットと、
確定された方式に応じて前記アクティブネットワークに対して行う再配置をトリガーするように配置されるトリガーユニットとを含む通信装置。
【請求項２】
前記再配置方式は、前記マスター装置に対する再選択及び/又は前記マスター装置の動作パラメータに対する再設置を含む請求項１に記載の通信装置。
【請求項３】
前記マスター装置の動作パラメータに対する再設置は、前記マスター装置の送信電力の調整及び/又は前記マスター装置のサービスするスレーブ装置の調整を含む請求項２に記載の通信装置。
【請求項４】
前記通信装置はマスターユーザー機器である請求項１に記載の通信装置。
【請求項５】
前記通信装置は、前記取得ユニットによりユーザー機器の分布情報を確定するように、所定のイベントに基づいて前記通信装置の信号カバー範囲内のユーザー機器が分布測定信号を送信することをトリガーするように配置される分布測定トリガーユニットを含む請求項４に記載の通信装置。
【請求項６】
前記所定のイベントは、
前記通信装置の移動特性の変化が所定の条件を満たすことと、
前記通信装置の信号送信パラメータの変化が所定の閾値を超えたことと、
分布測定をトリガーするためのタイマーがタイミング条件に達することと、
前記通信装置とそれがサービスするスレーブユーザー機器との間の通信状態が所定の条件を満たすこととのうちの少なくとも一つを含む請求項５に記載の通信装置。
【請求項７】
前記分布測定トリガーユニットは、
前記通信装置の信号カバー範囲内のユーザー機器へ分布測定要求に関する第１のブロードキャスト信号を送信し、前記第１のブロードキャスト信号にデバイス・ツー・デバイス通信のための参照信号を含む方式と、
前記通信装置のサービス基地局へ分布測定要求メッセージを送信して、前記サービス基地局により、前記通信装置の信号カバー範囲内のユーザー機器が分布測定信号を送信することをトリガーする方式と、
のうちの少なくとも一つにより前記通信装置の信号カバー範囲内のユーザー機器が分布測定信号を送信することをトリガーするように配置される請求項５に記載の通信装置。
【請求項８】
前記取得ユニットは、前記通信装置の信号カバー範囲内のユーザー機器の密度を取得するように配置される請求項４に記載の通信装置。
【請求項９】
前記取得ユニットは、前記通信装置のサービスするスレーブ装置とされないユーザー機器からの第２のブロードキャスト信号を、分布測定信号として前記密度を推定し、前記第２のブロードキャスト信号は、デバイス・ツー・デバイス通信のための発見信号又はデバイス・ツー・デバイス通信の同期信号を含む請求項８に記載の通信装置。
【請求項１０】
前記通信装置の位置及び/又は送信電力に関する情報を、ネットワークインフラストラクチャに報告するように配置される報告ユニットをさらに含み、
前記取得ユニットは、前記ネットワークインフラストラクチャから前記密度に関する情報を取得するように配置される請求項８に記載の通信装置。
【請求項１１】
前記確定ユニットは、ユーザー機器の密度とネットワーク性能との間の所定関係に応じて、前記通信装置の動作パラメータを確定するように配置され、前記動作パラメータは、前記通信装置の送信電力及び/又は前記通信装置のサービスするスレーブ装置の最大数を含む請求項８に記載の通信装置。
【請求項１２】
前記トリガーユニットは、
確定された送信電力に応じて前記通信装置の送信電力を調整する、及び/又は、
前記通信装置のスレーブ装置へ、デバイス・ツー・デバイス通信解放要求を送信し、及び/又は前記通信装置の信号カバー範囲内のユーザー機器へデバイス・ツー・デバイス通信確立要求を送信するように配置される請求項１１に記載の通信装置。
【請求項１３】
前記通信装置はネットワークインフラストラクチャである請求項１に記載の通信装置。
【請求項１４】
ユーザー側に用いられる通信装置であって、
ユーザー機器又はネットワークインフラストラクチャからの送信要求を受信するように配置される受信ユニットと、
前記通信装置がスレーブ装置とされない場合に、前記送信要求に基づいて、前記通信装置のアクティブネットワークにおける分布を確定するための参照信号を送信するように配置される送信ユニットとを含み、
前記スレーブ装置はデバイス・ツー・デバイス通信過程においてマスター装置により通信サービスを得る通信装置。
【請求項１５】
前記受信ユニットは、物理下りリンク制御チャネル又はメディアアクセス制御要素により前記送信要求を受信する請求項１４に記載の通信装置。
【請求項１６】
前記送信要求に前記参照信号を送信する時間配置を指示した場合に、前記送信ユニットは、指示された時間配置に従って前記参照信号を送信する請求項１４に記載の通信装置。
【請求項１７】
前記受信ユニットは、ユーザー機器からの前記送信要求を含むブロードキャスト信号を受信し、且つ
前記送信ユニットは、受信した送信要求を含むブロードキャスト信号強度が所定のレベルよりも高い場合のみ、前記参照信号を送信するように配置される請求項１４に記載の通信装置。
【請求項１８】
前記参照信号は、前記通信装置の標識情報を含む請求項１４に記載の通信装置。
【請求項１９】
通信装置が実行する通信方法であって、
ユーザー機器又はネットワークインフラストラクチャからの送信要求を受信し、
前記通信装置がスレーブ装置とされない場合に、前記送信要求に基づいて、前記通信装置のアクティブネットワークにおける分布を確定するための参照信号を送信することを含み、
前記スレーブ装置はデバイス・ツー・デバイス通信過程においてマスター装置により通信サービスを得る通信方法。
【国際調査報告】
2018504044.tif 000030
2018504044.tif 000031
2018504044.tif 000032
2018504044.tif 000033